【手続補正書】
【提出日】平成18年6月16日(2006.6.16)
【手続補正１】
【補正対象書類名】特許請求の範囲
【補正対象項目名】全文
【補正方法】変更
【補正の内容】
【特許請求の範囲】
【請求項１】
複数のダイバーシティ  トランスミッション  モードの内から１つのダイバーシティ  トランスミッション  モードを選択し、ここで、前記複数のダイバーシティ  トランスミッション  モードは空間時間送信ダイバーシティ  モードを含み、空間時間送信ダイバーシティは第１の一対のアンテナを用いる第１の一対の送信記号と第２の一対のアンテナを用いる第２の一対の送信記号とを送信するように用いられ、前記第１の一対のアンテナは前記第２の一対のアンテナと異なっており、
少なくとも１つのデータストリームを符号化し変調して、第１及び第２の対の変調記号を供給し、及び
前記第１の一対のアンテナから送信される前記第１の一対の送信記号を与えるために前記空間時間ダイバーシティ  トランスミッション  モードに基づいて前記第１の一対の変調記号と、前記第２の一対のアンテナから送信される前記第２の一対の送信記号を与えるために前記空間時間ダイバーシティ  モードに基づいて前記第２の一対の変調記号とを処理する
ことを具備する無線通信装置から送信用のデータを処理する方法。
【請求項２】
前記第１の一対の変調記号と前記第２の一対の変調記号は異なるサブバンドで送信される請求項１記載の方法。
【請求項３】
前記第１の一対の変調記号と前記第２の一対の変調記号の少なくとも１つの記号は同一の変調記号である請求項１記載の方法。
【請求項４】
前記複数のダイバーシティ  トランスミッション  モードは周波数ダイバーシティ  トランスミッション  モードをさらに含む請求項１記載の方法。
【請求項５】
前記複数のダイバーシティ  トランスミッション  モードはウォルシュダイバーシティ  トランスミッション  モードをさらに含む請求項１載の方法。
【請求項６】
前記少なくとも１つのデータストリームはオーバーヘッドチャネルに対応する請求項１記載の方法。
【請求項７】
選択することは前記少なくとも１つのデータストリームの型に基づいて選択することからなる請求項１記載の方法。
【請求項８】
選択することは前記第１及び第２の一対の変調記号の１つを受信した端末の型に基づいて選択することからなる請求項１記載の方法。
【請求項９】
選択することはアクセスポイントとやりとりする端末の型の混合に基づいて選択することからなる請求項１記載の方法。
【請求項１０】
選択することは前記複数のダイバーシティ  トランスミッション  モードの１つか空間多重化モードのいずれかを選択することからなる請求項１記載の方法。
【請求項１１】
選択することはチャネル情報に基づいて選択することからなる請求項１記載の方法。
【請求項１２】
パイロット記号を前記変調記号で多重化することをさらに具備する請求項１記載の方法。
【請求項１３】
符号化することはターボ符号を用いることからなる請求項１記載の方法。
【請求項１４】
符号化することは畳み込み符号を用いることからなる請求項１記載の方法。
【請求項１５】
複数のダイバーシティ  トランスミッション  モードの内から１つのダイバーシティ  トランスミッション  モードを選択するように構成されたコントローラと、ここで、前記複数のダイバーシティ  トランスミッション  モードは空間時間送信ダイバーシティ  モードを含み、空間時間送信ダイバーシティは第１の一対のアンテナを用いる第１の一対の送信記号と第２の一対のアンテナを用いる第２の一対の送信記号とを送信するように用いられ、前記第１の一対のアンテナは前記第２の一対のアンテナと異なっており、
少なくとも１つのデータストリームを符号化し変調し、第１及び第２の対の変調記号を供給するように構成されたプロセッサと、及び
前記第１の一対のアンテナから送信される前記第１の一対の送信記号を与えるために前記空間時間ダイバーシティ  トランスミッション  モードに基づいて前記第１の一対の変調記号と、前記第２の一対のアンテナから送信される前記第２の一対の送信記号を与えるために前記空間時間ダイバーシティ  モードに基づいて前記第２の一対の変調記号とを処理するように構成された他のプロセッサとを
具備する無線通信システムにおける送信機ユニット。
【請求項１６】
前記第１の一対の変調記号と前記第２の一対の変調記号は異なるサブバンドで送信される請求項１５記載の装置。
【請求項１７】
前記第１の一対の変調記号と前記第２の一対の変調記号の少なくとも１つの記号は同一の変調記号である請求項１５記載の装置。
【請求項１８】
前記複数のダイバーシティ  トランスミッション  モードは周波数ダイバーシティ  トランスミッション  モードをさらに含む請求項１５記載の装置。
【請求項１９】
前記複数のダイバーシティ  トランスミッション  モードはウォルシュダイバーシティ  トランスミッション  モードをさらに含む請求項１５記載の装置。
【請求項２０】
前記少なくとも１つのデータストリームはオーバーヘッドチャネルに対応する請求項１５記載の装置。
【請求項２１】
前記コントローラは前記少なくとも１つのデータストリームの型に基づいて選択するように構成されている請求項１５記載の装置。
【請求項２２】
前記第１及び第２の一対の変調記号の１つを受信した端末の型に基づいて選択するように構成されている請求項１５記載の装置。
【請求項２３】
前記コントローラはアクセスポイントとやりとりする端末の型の混合に基づいて選択するように構成されている請求項１５記載の装置。
【請求項２４】
前記コントローラは前記複数のダイバーシティ  トランスミッション  モードの１つか空間多重化モードのいずれかを選択するように構成されている請求項１５記載の装置。
【請求項２５】
前記コントローラはチャネル情報に基づいて選択するように構成されている請求項１５記載の装置。
【請求項２６】
複数のダイバーシティ  トランスミッション  モードの内から１つのダイバーシティ  トランスミッション  モードを選択するための手段と、ここで、前記複数のダイバーシティ  トランスミッション  モードは空間時間送信ダイバーシティ  モードを含み、空間時間送信ダイバーシティは第１の一対のアンテナを用いる第１の一対の送信記号と第２の一対のアンテナを用いる第２の一対の送信記号とを送信するように用いられ、前記第１の一対のアンテナは前記第２の一対のアンテナと異なっており、
少なくとも１つのデータストリームを符号化し変調し、第１及び第２の一対の変調記号を供給するように構成されたプロセッサと、及び
前記第１の一対のアンテナから送信される前記第１の一対の送信記号を与えるために前記空間時間ダイバーシティ  トランスミッション  モードに基づいて前記第１の一対の変調記号と、前記第２の一対のアンテナから送信される前記第２の一対の送信記号を与えるために前記空間時間ダイバーシティ  モードに基づいて前記第２の一対の変調記号とを処理するための手段とを
具備する装置。
【請求項２７】
前記第１の一対の変調記号と前記第２の一対の変調記号は異なるサブバンドで送信される請求項２６記載の装置。
【請求項２８】
前記第１の一対の変調記号と前記第２の一対の変調記号の少なくとも１つの記号は同一の変調記号である請求項２６記載の装置。
【請求項２９】
前記複数のダイバーシティ  トランスミッション  モードは周波数ダイバーシティ  トランスミッション  モードをさらに含む請求項２６記載の装置。
【請求項３０】
前記少なくとも１つのデータストリームはオーバーヘッドチャネルに対応する請求項２６記載の装置。
【請求項３１】
前記選択するための手段は少なくとも１つのデータストリームの型に基づいて選択するための手段からなる請求項２６記載の装置。
【請求項３２】
前記選択するための手段は前記第１及び第２の一対の変調記号の１つを受信した端末の型に基づいて選択するための手段からなる請求項２６記載の装置。
【請求項３３】
前記選択するための手段はアクセスポイントとやりとりする端末の型の混合に基づいて選択するための手段からなる請求項２６記載の装置。
【請求項３４】
前記選択するための手段は前記複数のダイバーシティ  トランスミッション  モードの１つか空間多重化モードのいずれかを選択するための手段からなる請求項２６記載の装置。
【請求項３５】
前記選択するための手段はチャネル情報に基づいて選択するための手段からなる請求項３４記載の装置。
【請求項３６】
二対の変調記号を供給し、
空間時間ダイバーシティ  トランスミッション  モードにより各対の変調記号を処理して前記二対の変調記号から第１の一対の送信記号と、前記二対の変調記号から第２の一対の送信記号とを供給し、及び
第１の一対のアンテナを用いて送信用の前記第１の一対の送信記号と、前記第１の一対のアンテナとは異なる第２の一対のアンテナを用いて送信用の前記一対の第２の送信記号とを供給する
ことを具備する無線通信装置から送信用のデータを処理する方法。
【請求項３７】
前記第１の一対の送信記号と前記第２の一対の送信記号は異なるサブバンドで送信される請求項３６記載の方法。
【請求項３８】
前記二対の変調記号はオーバーヘッドチャネルに対応する請求項３６記載の方法。
【請求項３９】
前記二対の変調記号を供給することはターボ符号を用いることからなる符号化することからなる請求項３６記載の方法。
【請求項４０】
前記二対の変調記号を供給することは畳み込み符号を用いることからなる請求項３６記載の方法。
【請求項４１】
処理することは前記第１の一対の送信記号を形成するため第１の一対の前記二対の変調記号と、前記第２の一対の送信記号を形成するため第２の一対の前記二対の変調記号とを処理することからなる請求項３６記載の方法。
【請求項４２】
前記第１の一対の変調記号と前記第２の一対の変調記号の少なくとも１つの記号は同一の変調記号である請求項４１記載の方法。
【請求項４３】
二対の変調記号を供給するように構成された第１のプロセッサと、及び
空間時間ダイバーシティ  トランスミッション  モードによって各一対の変調記号を処理して、前記二対の変調記号から第１の一対の送信記号と前記二対の変調記号から第２の一対の送信記号とを供給すると共に第１の一対のアンテナを用いて送信用の前記第１の一対の送信記号と前記第１の一対のアンテナとは異なる第２の一対のアンテナを用いて送信用の前記第２の一対の送信記号とを供給するように構成された第２のプロセッサとを
具備する無線通信装置。
【請求項４４】
前記第１の一対の送信記号と前記第２の一対の送信記号を異なるサブバンドで送信するように構成されたコントローラをさらに具備する請求項４３記載の装置。
【請求項４５】
前記二対の変調記号はオーバーヘッドチャネルに対応する請求項４３記載の装置。
【請求項４６】
前記第１のプロセッサはターボ符号を用いるように構成されて前記二対の変調記号を供給する請求項４３記載の装置。
【請求項４７】
前記第１のプロセッサは畳み込み符号を用いるように構成されて前記二対の変調記号を供給する請求項４３記載の装置。
【請求項４８】
前記第２のプロセッサは前記二対の変調記号の内の第１の一対を処理するように構成されて前記第１の一対の送信記号と、前記二対の変調記号の内の第２の一対とを形成し、前記第２の一対の送信記号を形成する請求項４３記載の装置。
【請求項４９】
前記第１の一対の変調記号と前記第２の一対の変調記号の少なくとも１つの記号は同一の変調記号である請求項４８記載の装置。
【請求項５０】
二対の変調記号を供給するための手段と、
空間時間ダイバーシティ  トランスミッション  モードを用いて前記二対の変調記号から第１の一対の送信記号と前記二対の変調記号から第２の一対の送信記号を形成するための手段と、及び
第１の一対のアンテナを用いて送信用の前記第１の一対の送信記号と第２の一対のアンテナを用いて送信用の第１の一対のアンテナとは異なる前記第２の一対の送信記号を供給するための手段とを
具備する無線通信装置から送信用のデータを処理するための装置。
【請求項５１】
前記第１の一対の送信記号と前記第２の一対の送信記号は異なるサブバンドで送信される請求項３６記載の装置。
【請求項５２】
前記二対の変調記号はオーバーヘッドチャネルに対応する請求項３６記載の装置。
【請求項５３】
使用するための前記手段は前記二対の変調記号の内の第１の対を処理して前記第１の一対の送信記号と、前記二対の変調記号の内の第２の対とを形成し、前記第２の一対の送信記号を形成する請求項３６記載の装置。
【請求項５４】
前記第１の一対の変調記号と前記第２の一対の変調記号の少なくとも１つの記号は同一の変調記号である請求項３６記載の装置。